(57)【特許請求の範囲】
【請求項１】
直方体状で、かつ上部開口の四辺にそれぞれフラップをもつ段ボールよりなる外装箱と、前記外装箱内において収容物品を保持する一枚の段ボールよりなる緩衝保持体と、収容物品の上方に配置される一枚の段ボールよりなる上部緩衝体を備え、前記緩衝保持体は底板と、底板の相対応する２辺に直立し、両端部を内方に折曲して傾斜させた側板と、前記側板の両端部の上下部に連接し、水平でかつ外方に突出するコーナ当て板を有し、前記コーナ当て板を外装箱のコーナ部に当接させて緩衝保持体の側板と外装箱の側板間に緩衝空隙を形成し、緩衝保持体の側板の傾斜した両端部で収納物品の外周の角部を押えるようにした包装装置。
【請求項２】
緩衝保持体の側板の両端部の下部に突出片を形成し、底板の側部に係止凹部を形成し、前記突出片を係止凹部に係合して前記側板の両端部を位置決めした請求項１記載の包装装置。
【請求項３】
緩衝保持体は底板の相対する２辺に連接する座板を有し、前記座板を底板の下面に折り返して外装箱の内底と底板間に緩衝空隙を形成するようにした請求項１記載の包装装置。
【請求項４】
緩衝保持体の座板の先端に係止片を形成し、底板に係止孔を形成し、前記係止片を前記係止孔に係合して折り返した座板を固定した請求項３記載の包装装置。
【請求項５】
上部緩衝体は両側部を下方に傾斜させて台形状に形成された押え板と、押え板の相対する２辺に直立する当て板と、押え板のコーナ部を折曲して直立するコーナ片を有し、かつ、緩衝保持体に嵌まり合う形状に形成され、前記押え板の傾斜した両側部が収容物品の上部の角部を押えるようにした請求項１記載の包装装置。
【請求項６】
上部緩衝体は押え板上に突出する把手を有し、外装箱は２つのフラップの接合縁にそれぞれ凹欠を有し、前記凹欠によって形成される把手表出孔より把手を表出するようにした請求項１記載の包装装置。
【発明の詳細な説明】
【０００１】
【産業上の利用分野】
本発明は収容物品を段ボールで緩衝保持する機能を有する包装装置に関する。
【０００２】
【従来の技術】
一般に電気製品その他機器等の収容物品は、段ボールの包装箱内に収容されて流通に供するが、流通過程における衝撃等より収容物品を保護するために、包装箱内には緩衝材を介入させている。
【０００３】
前記緩衝材としては発泡スチロールが多く用いられているが、この発泡スチロールはリサイクルができなく、廃棄処理コストが高くつくこと、さらに焼却処理するときに高熱を発し、焼却炉を損傷するため特殊な焼却炉を必要とするなど、その廃棄処理において難点があった。
【０００４】
したがって発泡スチロールに代えてリサイクルができる段ボールよりなる緩衝材が種々開発されるようになってきている。
【０００５】
【発明が解決しようとする課題】
ところで段ボールの緩衝材で、収容物品を緩衝し、しかも安定に保持するには、複数の段ボールよりなる緩衝材を必要とし、その製造および組み立てが容易でなく、製造上に難点があった。
【０００６】
本発明はこのような従来の問題に留意し、段ボールの緩衝体の個数が少なく、その組立が容易で、しかも収容物品を安定に緩衝保持する包装装置を提供することを目的とする。
【０００７】
【課題を解決するための手段】
前記目的を達成するため、本発明は直方体状で、かつ、上部開口の四辺にそれぞれフラップをもち、段ボールよりなる外装箱と、前記外装箱内に挿入されて収容物品を保持する一枚の段ボールよりなる緩衝保持体と、収容物品の上方に配置される一枚の段ボールよりなる上部緩衝体を備え、前記緩衝保持体は、底板と、側板と、前記側板と外装箱の側板間に緩衝空隙を形成させるコーナ当て板よりなり、前記緩衝保持体の側板の両端部を内方に折曲して傾斜させ、前記両端部が収容物品の外周の角部に当たるようにした包装装置の構成とする。
【０００８】
【作用】
上記構成において、外装箱内に入れた緩衝保持体は収容物品を保持するが、緩衝保持体のコーナ当て板は外装箱の内コーナ部に２辺が当って、緩衝保持体の位置決めをするとともに、緩衝保持体の側板と外装箱の側板間に空隙を作り、収容物品を側方からの衝撃より保護する。また、緩衝保持体の側板の両端部は内方に傾斜するように折り曲げてあり、この両端部に収容物品の外側の角部が当たることから、収容物品の位置決めができるとともに、前記角部に対する衝撃が緩和される。さらに上部緩衝体は収容物品を上方からの衝撃より保護する。そしてこれら各構成部材は段ボールよりなり、また構成部品点数が少なく、リサイクルの点および製造上において有利である。
【０００９】
【実施例】
以下に本発明の一実施例の包装装置を図面を参照して説明する。
本実施例の包装装置は図１に示すように段ボールよりなる直方体形状の外装箱１と、この外装箱１内に嵌め込まれ、段ボールよりなる緩衝保持体２と、緩衝保持体２に保持された収容物品３の上部を覆う段ボールよりなる上部緩衝体４よりなっている。
【００１０】
外装箱１は上部開口の四辺にそれぞれ封止用のフラップ５を有し、相対応する２つのフラップ５ａ，５ｂには係合孔６を形成してあり、他方の対応する２つのフラップ５ｃ，５ｄには挿入片７を形成してあり、この挿入片７を係合孔６に挿入することにより、各フラップ５は封止状態を保つようになっている。また、フラップ５ｃ，５ｄは封止のために折り曲げたとき、２つの先端縁が接合するようになっており、この接合部には凹欠８によって把手表出孔を形成するようになっている。
【００１１】
図２は外装箱１内に緩衝保持体２を嵌め込み、収容物品３を収容した状態の上面図と斜視図である。なお、この図では上部緩衝体４は除いてあり、また、フラップ５は開放した状態となっている。さらに、本実施例では収容物品３として全体がほぼ直方体状の炊飯保温器であるが、収容物品は前記炊飯保温器に限られるものではない。
【００１２】
図３は一枚の段ボールよりなる緩衝保持体２の展開図である。緩衝保持体２は、底板９と、底板９の相対する２辺に連接された２つの側板１０と、底板９の他の相対する２辺に連接された２つの座板１１よりなっている。
【００１３】
ここで、底板９の長手方向の幅ａは外装箱１の長手方向の内幅より１０ｃｍ程度短かく、また、底板９の横幅ｂは外装箱１の横方向の内幅と同じ長さにしている。
【００１４】
前記側板１０は罫線によって内折りされる両端部１２を有し、この両端部１２の先端と内端に、ほぼ三角状のコーナ当て板１３を連接している。前記コーナ当て板１３のうち、両端部１２の内端側のものは底板９と座板１１に付した切り込みによって形成されている。
【００１５】
前記内端側のコーナ当て板１３を折り曲げる罫線部には、切り込みによって底板９方向に突出する突片１４を形成してあり、座板１１の側部近くには係止凹部１５を形成している。
【００１６】
前記座板１１の先端縁には切り込みによる係止片１６を形成してあり、座板１１を折り返したときに底板９の係止片１６に対応する位置に係止孔１７を形成してある。そして座板１１を折り返すための罫線部には、折り曲げ助成切り込み１８を形成している。
【００１７】
緩衝保持体２は、図３に示す一枚の段ボールを折り曲げて図４、図５に示すように形成される。まず座板１１を底板９との境界の罫線部で底板９の裏側に重なるように折り返す。そして座板１１の先端縁の係止片１６を上方に折曲することにより底板９の係止孔１１に係止し、座板１１の折り曲げ状態を固定化する（図５）。
【００１８】
つぎに側板１０を底板９に対し、その罫線部で上方に、かつ直角に折り曲げる。そして各コーナ当て片１３を水平に、かつ外方向に突出するように折り曲げる。さらに側板１０の両端部１２を内方に約４５°折り曲げる。このとき、内端側のコーナ当て片１３の折曲によって下方に突出する突出片１４が座板１１の側部の係止凹部１５に嵌まり合い、両端部１２の曲げた状態を固定化する。こうして図４に示すように形成された緩衝保持体２は、図２に示すように外装箱１内に嵌め込まれる。このとき、各コーナ当て板１３の２辺が外装箱１の内側の各コーナ部の上下部の２側板に当接し、また側板１０の両端部１２は外装箱１のコーナ部に対して斜状となり、先端縁が外装箱１の内側に接し、外装箱１内における緩衝保持体２を位置決めして安定化する。そして、座板１１は、外装箱１の内底に対して緩衝保持体２の底板９を浮かせた状態に保持し（図９、図１０）、また、緩衝保持体２における底板９の長手方向の長さが外装箱１の長手方向の長さより相当に短かくしてあり、各コーナ当て板１３が間隔子となって、外装箱１の側板と緩衝保持体２の側板１０間に十分な緩衝空隙が得られる。
【００１９】
この状態において、図２に示すように直方体状の収容物品３を緩衝保持体２内に入れるが、収容物品３の横幅は緩衝保持体２の底板１１の横幅よりやや小さくしたものとしておくことにより、収容物品３の外周の各角部が斜状になった側板１０の両端部１２の面のほぼ中央部に当たる。したがって収容物品３の側面と外装箱１の内側面間に緩衝間隙が確保される。このように収容物品３は緩衝保持体２に保持されているとき、下部および全外周に緩衝間隙が存在することとなり、十分に緩衝保持されることとなる。
【００２０】
図６は一枚の段ボールよりなる上部緩衝体４の展開図である。上部緩衝体４は図示のように長方形状の押え板１９と、その相対する両側辺に連接した２つの当て板２０よりなっている。ここで、押え板１９の長手方向の幅Ｃは、外装箱１の横方向の幅より大きくしてあり、また、押え板１９の短い方向の幅ｄは緩衝保持体２の底板９の長手方向の幅ａとほぼ等しくしている。押え板１９は短かい方向に平行でそして等間隔に２本の罫線を付してあり、さらにコーナ部に罫線を付して４つの三角状のコーナ片２１を形成している。
【００２１】
図７に示すように押え板１９は２本の罫線をもって折りまげて台形状に形成し、当て板２０とコーナ片２１を上方に折曲して直立させる。
この上部緩衝体４を緩衝保持体２の上部に嵌め合わせることにより、図１０に示すように台形状となった押え板１９の中央部は収容物品３の上部に対応し、押え板１９の両側部は収容物品３の上角部に当たるとともに、収容物品３の側部と外装箱１の側板間に挿入される。そして、当て板２０が外装箱１の側板に面当接し、また、コーナ片２１が緩衝保持体２の側板１０の傾斜した両端部１２に面当接して上部緩衝体４を安定化する。上記のように台形状に形成された押え板１９の傾斜した両側部が収容物品３の上角部を押えることから、収容物品３の上方よりの衝撃は緩衝される。
【００２２】
前記上記緩衝体４における押え板１９の中央部には、図７に示すように幅ｄ方向に長い帯状の把手２２を取りつけている。この把手２２は両端に止め座２３をもち、押え板１９の中央部に形成した２つのガイド孔２４に前記止め座２３を通し、把手２２の端部をガイド孔２４に連らなる切溝２５にスライドさせることにより固定される。
【００２３】
上記の上部緩衝体４を装着したのち、図８に示すように外装箱１の各フラップ５を閉じ、挿入片７を係合孔６に挿入することにより各フラップ５を固定化して包装を完了する。このとき、フラップ５ｃ，５ｄの先端の凹欠８で形成される把手表出孔より帯状の把手２２が表出し、この把手２２を持って持ち運びを可能にする。そして上部緩衝体４はフラップ５に面で当っているので、荷重が局部的にかからなく、把手２２を固定した端部が破損しにくくなる。
【００２４】
上記のように、本実施例の包装装置は、一枚の段ボールを折曲して形成される緩衝保持体と、一枚の段ボールを折曲して形成される上部緩衝体によって収容物品を安定に、かつ確実に緩衝保持できるものであり、緩衝体の個数が少なく、しかも組み立てやすいものである。
【００２５】
なお、実施例においては、収容物品が直方体状のものであったので、外装箱および緩衝保持体の形状もこれら適応する直方体状としたが、本発明はこれに限られるものではなく、収容物品が正方体のものであれば、それに応じた外装箱、緩衝保持体および上部緩衝体の形状とすればよい。また、底板に連接する座板は省略してもよい。
【００２６】
【発明の効果】
前記実施例の説明より明らかなように、本発明は一枚の段ボールを折曲して構成した緩衝保持体を外装箱内に挿入し、前記緩衝保持体で収容物品を保持する構成において、前記緩衝保持体はコーナ当て板をもって外装箱の側板と緩衝保持体の側板間に緩衝空隙をつくり、また、緩衝保持体の側板の両端部を傾斜させて収容物品の外周の各角部に当てて、収容物品の位置決めと角部の緩衝を行なわせているので、収容物品が安定に保持されるとともに十分な緩衝が得られる。
【００２７】
また、前記緩衝保持体の上部に嵌め合わせる一枚の段ボールよりなる上部緩衝体を設け、この上部緩衝体の押え板を台形状となるようにその両側部を折曲して傾斜させ、収容物品の上部の角部が両側部に当たるようにしたため、上方からの衝撃が緩衝され、さらに押え板に当て板とコーナ片を設けて、この上部緩衝体の装着状態を安定にできる。
【００２８】
このように本発明の包装装置は発泡スチロールを使うことなく、段ボールよりなる少ない緩衝体で収容物品の緩衝保持ができ、その価値は大きい。
【図面の簡単な説明】
【図１】本発明の一実施例の包装装置の分解斜視図
【図２】（ａ）は同包装装置の上部緩衝体を除いた状態の平面図
（ｂ）は同包装装置の上部緩衝体を除いた状態の斜視図
【図３】同包装装置における緩衝保持体の展開図
【図４】同緩衝保持体の斜視図
【図５】同緩衝保持体の裏面側を示す斜視図
【図６】同包装装置における上部緩衝体の展開図
【図７】同上部緩衝体の斜視図
【図８】同包装装置の斜視図
【図９】図８のＡ−Ａ断面図
【図１０】図８のＢ−Ｂ断面図
【符号の説明】
１    外装箱
２    緩衝保持体
３    収容物品
４    上部緩衝体
５    フラップ
６    係合孔
７    挿入片
８    凹欠
９    底板
１０    側板
１１    座板
１２    両端部
１３    コーナ当て板
１４    突出片
１５    係止凹部
１６    係止片
１７    係止孔
１８    折り曲げ助成切り込み
１９    押え板
２０    当て板
２１    コーナ片
２２    把手
２３    止め座
２４    ガイド孔
２５    切溝
【図１】
0003591898.tif 000002
【図２】
0003591898.tif 000003
【図３】
0003591898.tif 000004
【図４】
0003591898.tif 000005
【図５】
0003591898.tif 000006
【図６】
0003591898.tif 000007
【図７】
0003591898.tif 000008
【図８】
0003591898.tif 000009
【図９】
0003591898.tif 000010
【図１０】
0003591898.tif 000011